(57)【要約】【課題】表示システムを遮光するための良好な装置または方法を提供する。【解決手段】表示システムとともに使用するための遮光装置が説明される。遮光装置は、典型的には硬い構成要素である第１の構成要素と、第２の構成要素とを含む。第２の構成要素は第１の構成要素を少なくとも部分的に覆う。第２の構成要素は第１の構成要素より低い反射率を有する固体連続膜である。特定の実施例では、第２の構成要素は、第１の構成要素より弾性があるか、または柔軟であり、および／または第１の構成要素より小さい硬さを有し、それが複数の光源との密封接触を提供することができるようにさらに適合される。後者は、遮光装置を、表示システムの電子機器および他の構成要素を表示システムの周囲から密封するための密封手段としても使用することを可能にする。【選択図】図２
2007188085.tif 000002
【特許請求の範囲】
【請求項１】
表示システム（２００）を遮光するための遮光装置（１００）であって、前記遮光装置（１００）は第１の構成要素（１１２）および第２の構成要素（１１４）を含み、前記第１の構成要素（１１２）はコア構成要素であり、前記第２の構成要素（１１４）はコア構成要素（１１２）を少なくとも部分的に覆い、前記第２の構成要素（１１４）は前記コア構成要素（１１２）より低い反射率を有する固体連続層である、遮光装置（１００）。
【請求項２】
前記第２の構成要素（１１４）は、前記コア構成要素（１１２）と比較して長期的な黒色経験が改善されている、請求項１に記載の遮光装置（１００）。
【請求項３】
前記第２の構成要素（１１４）はより低い反射率を提供するように粗くされる、請求項１から２のいずれかに記載の遮光装置（１００）。
【請求項４】
前記第２の構成要素（１１４）は微細構造を設けられた層である、請求項１から３のいずれかに記載の遮光装置（１００）。
【請求項５】
前記第２の構成要素（１１４）は粒子を設けられた膜である、請求項４に記載の遮光装置（１００）。
【請求項６】
前記粒子は前記膜にスパッタリングされる、請求項５に記載の遮光装置（１００）。
【請求項７】
前記第２の構成要素は前記コア構成要素より弾性があるか、または柔軟である、請求項１から６のいずれかに記載の遮光装置（１００）。
【請求項８】
前記第２の構成要素（１１４）は少なくとも０．５ｍｍの厚みを備えた領域を含む、請求項１から７のいずれかに記載の遮光装置（１００）。
【請求項９】
前記第２の構成要素（１１４）はポリアミドなどのエラストマー材料および／またはプラスチックを含む、請求項７または８のいずれかに記載の遮光装置（１００）。
【請求項１０】
前記第２の構成要素（１１４）は熱可塑性エラストマー材料を含む、請求項７から９のいずれかに記載の遮光装置（１００）。
【請求項１１】
前記第２の構成要素（１１４）は前記第１の、コア構成要素（１１２）とタンデム成形されるか、またはともに成形される、請求項１から１０のいずれかに記載の遮光装置（１００）。
【請求項１２】
前記第２の構成要素（１１４）は、前記複数の光源ユニット（１４）を受入れるように適合される穴（１１６）を含み、前記第２の構成要素（１１４）は前記複数の光源ユニット（１４）と密封接触するように適合される、請求項１から１１のいずれかに記載の遮光装置（１００）。
【請求項１３】
前記第２の構成要素（１１４）は帯電防止材料で作られる、請求項１から１２のいずれかに記載の遮光装置（１００）。
【請求項１４】
前記遮光装置（１００）は予め定められた角度の下で光の入射を遮るように形作られた部分を含む、請求項１から１３のいずれかに記載の遮光装置（１００）。
【請求項１５】
前記遮光装置（１００）は前記表示システム（２００）に対して光学要素（３０）を収
容するように適合される、請求項１から１４のいずれかに記載の遮光装置（１００）。
【請求項１６】
画像を表示するための表示システム（２００）であって、前記表示システム（２００）は遮光装置（１００）を含み、前記遮光装置（１００）はコア構成要素である第１の構成要素（１１２）、およびコア構成要素（１１２）を少なくとも部分的に覆い、かつ前記コア構成要素（１１２）を前記表示システム（２００）の周囲から少なくとも部分的に遮る第２の構成要素（１１４）を含み、
前記第２の構成要素（１１４）は前記コア構成要素（１１２）より低い反射率を有する固体連続層である、表示システム（２００）。
【請求項１７】
前記第２の構成要素（１１４）は前記コア構成要素（１１２）と比較して長期的な黒色経験が改善されている、請求項１６に記載の表示システム（２００）。
【請求項１８】
前記第２の構成要素（１１４）はより低い反射率を提供するために粗くされる、請求項１６または１７に記載の表示システム（２００）。
【請求項１９】
前記第２の構成要素（１１４）は微細構造を設けられた層である、請求項１６から１８のいずれかに記載の表示システム（２００）。
【請求項２０】
前記第２の構成要素（１１４）は粒子を設けられた膜である、請求項１９に記載の表示システム（２００）。
【請求項２１】
前記粒子は前記膜にスパッタリングされる、請求項２０に記載の表示システム（２００）。
【請求項２２】
前記第２の構成要素（１１４）は前記コア構成要素（１１２）より弾性があるか、または柔軟である、請求項１６から２１のいずれかに記載の表示システム（２００）。
【請求項２３】
前記表示システム（２００）は複数の光源ユニット（１４）をさらに含み、前記第２の構成要素（１１４）は前記複数の光源ユニット（１４）と密封接触する、請求項１６から２２のいずれかに記載の表示システム（２００）。
【請求項２４】
前記遮光装置（１００）は予め定められた角度の下で前記表示システム（２００）で光の入射を遮るように形作られた部分を含む、請求項１６から２３のいずれかに記載の表示システム（２００）。
【請求項２５】
前記遮光装置（１００）は前記表示システム（２００）に対して光学要素（３０）を収容するように適合される、請求項１６から２４のいずれかに記載の表示システム（２００）。
【請求項２６】
表示システム（２００）を製造するための方法であって、
露出された表示システムを提供するステップを含み、前記露出された表示システムは典型的には複数の光源ユニット（１４）を含み、前記方法はさらに、
第１の硬い構成要素（１１２）およびコア構成要素（１１２）より低い反射率を有する第２の構成要素（１１４）を含む遮光装置（１００）を提供するステップと、
前記複数の光源ユニット（１４）が前記第１の構成要素（１１２）の穴を通って挿入され、前記遮光装置（１００）の前記第２の構成要素（１１４）の穴に押し込まれて、前記第２の構成要素（１１４）が前記複数の光源ユニット（１４）と密封接触するように、前記遮光装置（１００）を前記露出された表示システムへと押すステップとを含む、製造するための方法。
【請求項２７】
遮光装置（１００）を提供するステップは、前記第１の構成要素（１１２）より弾性があり、および／またはより硬くなく、および／またはより柔軟な前記第２の構成要素（１１４）を備えた遮光装置（１００）を提供するステップをさらに含む、請求項２６に記載の製造するための方法。
【請求項２８】
遮光装置（１００）を提供するステップは、より低い反射率を提供するために前記第２の構成要素（１１４）を粗くするステップを含む、請求項２６または２７に記載の製造するための方法。
【請求項２９】
前記方法はさらに、前記遮光装置（１００）を前記露出された表示システムに固定するステップを含む、請求項２６から２８のいずれかに記載の製造するための方法。
【発明の詳細な説明】
【技術分野】
【０００１】
発明の技術分野
この発明は、情報を表示するためのシステム、装置および方法に関する。特に、この発明は、表示システムで遮光するためのシステム、装置および方法、ならびにそのような遮光システムを使用する表示システムまたは装置に関する。
【背景技術】
【０００２】
発明の背景
表示システムは、しばしば、屋外の用途で情報を使用するため、たとえば、広告などで映像または他の情報を見せるために照明または表示のために使用される。これに限らないが特に屋外の用途では、周囲の、すなわち、環境的な影響から表示システムの電子機器を密封すること、および他の光源から遮光することが典型的には重要な問題である。遮光器は、典型的には、光が表示システムまたはその光源ユニットに当たるのを阻止し、かつたとえば、異なる光源ユニット間で、非反射性の黒い背景を提供するために使用される。遮光器を使用すると、典型的には、コントラストが向上され、たとえば、黒い画像を表示するための画像品質が改善される。
【発明の開示】
【発明が解決しようとする課題】
【０００３】
密封および遮光を提供するための第１の方法は、たとえば、絶縁保護コーティング、シリコーン封止等のコーティングを使用して電子機器を密封すること、および密封された電子機器上に隙間なく遮光器を配置することである。第１の方法の課題は、組立および安定性の要件のため、遮光器の材料の選択が制限されることである。さらに、理想的には、遮光器は、硬く、環境的に硬化可能であり、暗く、かつ非反射性であるべきである。ポリカーボネートまたはポリアミドが典型的な選択であるが、これらの材料のうちのどちらもすべての要件を満たすわけではない。
【０００４】
密封および遮光を提供するための別の第２の方法は、密封されたアセンブリに一体化された固体の遮光器を提供し、硬化された密封材料、たとえば、シリコーン封止または絶縁保護コーティングを露出させておくことである。第１の方法の課題は、密封材料から突き出る遮光器が使用される第２の方法にも当てはまる。密封材料は、暗くかつ光沢がないものであり得、したがって良好な遮光器に対する要件の一部を満たすが、密封材料は付加的な問題をもたらし得る。シリコーン封止などの密封材料は、しばしば安定せず、かつ時とともに光沢を持つようになる。さらに、シリコーンは成形可能ではなく、したがって、それは、たとえば、光を捕捉する形状などの特定の構造または形状で作ることはできない。
【０００５】
例として、表示システムの一部である遮光器装置が図１に断面で示される。表示システム１０は、複数の光源ユニット１４、ヒートパス１６および装置を冷却するための冷却プレート１８を含む光源ボード１２、ならびに光源ボード１２が取付けられる取付けスタッド２０を含む。システムはさらに、表示システムを直接的な光の入射から遮るための、直立した遮光部分２４を備えた遮光装置２２を含む。電子機器を密封するため、典型的には、シリコーンなどの密封材料２６が適用される。表示システムの縁は、黒いマスク２８を使用してマスキングされてもよい。図１に示される表示システム１０はさらに、光源ユニット１４の前に光学レンズ３０を含む。
【課題を解決するための手段】
【０００６】
発明の概要
この発明の目的は、表示システムを遮光するための良好な装置または方法を提供することである。この発明の実施例の利点は、効率的で、かつ長期間に亘って効率的である、遮光のための装置および方法を提供することである。この発明の実施例の利点は、成形可能であり、したがって、たとえば、光沢のない表面などの特定の構造、および、たとえば、光を捕捉する形状などの特定の形状を与えることのできる形状オーバーレイ構成要素の存在のために、コントラストが改善される点である。オーバーレイ材料は組み立ておよび安定性に対して基板が必要とする構造的な特性を有する必要がないため、高い柔軟性を備えた材料を使用できる点もこの発明の実施例の利点である。後者は、高いコントラスト、軟らかい材料を有すること、および／または埃の反発力が高い材料を有するなどの他の目的を達成するために材料の選択を自由にする。さらに、この発明の実施例の利点は、溶剤、接着剤の必要性が排除されるため、および先行技術の遮光器コーティングの概念で典型的に使用される手動のスプレーが排除されるため、製造性が改善される点である。この発明の実施例による成形可能なオーバーレイシステムが軟らかい材料の任意の使用を可能にし、取扱い時、または他の場合に製品に接触したときの負傷の可能性の低減につながることもこの発明の実施例の利点である。後者は、スポーツ市場またはレンタル市場で起こり得る。さらに、オーバーレイ材料を製品のあらゆる側で、水、埃および／または空気を密封する材料として任意で使用可能である点も、この発明の実施例の利点である。
【０００７】
上述の目的は、この発明による方法および装置によって達成される。
第１の局面では、この発明は、表示システムを遮光するための遮光装置を提供し、遮光装置は第１の構成要素および第２の構成要素を含み、第１の構成要素はコア構成要素であり、第２の構成要素はコア構成要素を少なくとも部分的に覆い、第２の構成要素はコア構成要素より低い反射率を有する固体連続層である。第２の構成要素は、コア構成要素と比較して長期的な黒色経験（black color experience）が改善されていることが好ましい。固体層は、自立した層を意味する。連続層は、離散した別々の部分を含まない層を意味する。この発明の実施例の利点は、それらが、スプレーされた構成要素と比較して、はがれの少ないシステムを提供する点である。
【０００８】
この発明の実施例では、第１の構成要素は硬い構成要素であり得る。第１の構成要素は寸法的に安定した構成要素であり得る。第１の構成要素は、ポリマーなどの合成材料、たとえば、ポリカーボネート樹脂で作られ得る。
【０００９】
第１の構成要素は、前記表示装置の複数の光源ユニットを受入れるように適合された穴を含んでもよく、前記第１の構成要素の前記穴は、遮光装置が前記第１の構成要素と前記複数の光源ユニットとの間に間隔を提供するように適合されるようにする。
【００１０】
第２の構成要素は、複数の光源ユニットを受入れるように適合される穴を含んでもよい。
【００１１】
この発明の実施例によると、第２の構成要素は、微細構造を設けられた層であり得る。規則的または不規則的な、これら微細構造は、たとえば、レーザ処理によって、表面を粗くすることによって作られ得る。この発明は、たとえば、既存の粗さを増加させるために、第２の構成要素の表面の粗さを変えることを含む。
【００１２】
たとえば、第２の構成要素は、たとえば、アルミニウム粒子などの粒子を設けられた膜または箔であってもよく、これらは膜にスパッタリングされてもよい。特定の実施例では、膜は、任意でそこにスパッタリングされた金属粒子を設けられた金属膜であり得る。層は０．１から０．５ｍｍの厚みを有し得、好ましくは０．１から０．２ｍｍの厚みを有し得る。
【００１３】
この発明の実施例によると、第２の構成要素は、コア構成要素より弾性があるかまたは柔軟であり得る。
【００１４】
この発明の実施例によると、第２の構成要素は、少なくとも０．５ｍｍの厚みを備えた領域を含み得る。
【００１５】
この発明の実施例によると、第２の構成要素は、ポリアミドなどのエラストマー材料および／またはプラスチックを含み得る。
【００１６】
この発明の実施例によると、第２の構成要素は、熱可塑性エラストマー材料を含み得る。
【００１７】
この発明の実施例によると、第２の構成要素は、前記第１の、コア構成要素とタンデム成形されるか、または共に成形され得る。
【００１８】
この発明の実施例によると、第２の構成要素は、前記複数の光源ユニットを受入れるように適合された穴を含んでもよく、前記第２の構成要素は、前記複数の光源ユニットと密封接触するように適合される。
【００１９】
この発明の実施例によると、前記第２の構成要素は帯電防止材料で作られ得る。
この発明の実施例によると、遮光装置は、予め定められた角度の下で光の入射を遮るように形作られた部分を含み得る。
【００２０】
この発明の実施例によると、遮光装置は、前記表示システムに対してレンズ要素を収容するように適合され得る。
【００２１】
第２の局面では、この発明は、画像を表示するための表示システムを提供し、前記表示システムは遮光装置を含み、遮光装置は、コア構成要素である第１の構成要素と、コア構成要素を少なくとも部分的に覆い、かつコア構成要素を表示システムの周囲から少なくとも部分的に遮る第２の構成要素とを含み、第２の構成要素はコア構成要素より低い反射率を有する固体連続層である。第２の構成要素は、コア構成要素と比較して長期的な黒色経験が改善されていることが好ましい。この発明の実施例によると、第２の構成要素は微細構造を設けられた層であり得る。規則的または不規則的な、この微細構造は、上述のように、たとえば、レーザ処理によって、表面を粗くすることにより作ることができる。
【００２２】
この発明の実施例によると、第２の構成要素は、金属粒子を設けられた金属膜であり得る。金属粒子は金属膜にスパッタリングされてもよい。
【００２３】
この発明の実施例によると、第２の構成要素は、コア構成要素より弾性があるかまたは柔軟であり得る。
【００２４】
この発明の実施例によると、表示システムは複数の光源ユニットをさらに含んでもよく、前記第２の構成要素は前記複数の光源ユニットと密封接触する。
【００２５】
この発明の実施例によると、遮光装置は、予め定められた角度の下で前記表示システムで光の入射を遮るように形作られた部分を含んでもよい。
【００２６】
この発明の実施例によると、遮光装置は、前記表示システムに対して光学要素を収容するように適合されてもよい。
【００２７】
第３の局面では、この発明は、表示システムを製造するための方法を提供し、この方法は、
露出した表示システムを提供するステップを含み、露出した表示ステップは典型的には複数の光源ユニットを含み、この方法はさらに、
第１の硬い構成要素およびコア構成要素より低い反射率を有する第２の構成要素を含む遮光装置を提供するステップと、
複数の光源ユニットが第１の構成要素の穴を通って挿入され、かつ遮光装置の第２の構成要素の穴へと押し込まれて、第２の構成要素が複数の光源ユニットと密封接触するように遮光装置を露出した表示システムへと押すステップとを含む。
【００２８】
この発明の実施例によると、遮光装置を提供するステップは、遮光装置に、第１の構成要素より弾性があり、および／またはより硬くなく、および／またはより柔軟な第２の構成要素を設けるステップを含み得る。
【００２９】
この発明の実施例によると、この方法は、前記遮光装置を前記露出された表示システムに固定するステップをさらに含み得る。
【００３０】
別の局面によると、この発明は、表示システムを遮光するための遮光装置に関し、遮光装置は第１の構成要素および第２の構成要素を含み、第１の構成要素はコア構成要素であり、第２の構成要素はコア構成要素を少なくとも部分的に覆い、第２の構成要素はコア構成要素より弾性のある固体連続層である。固体層は自立した層を意味する。連続層は離散した別々の部分を含まない層を意味する。第２の構成要素は、少なくとも０．５ｍｍの厚みを備えた領域を含み得る。第２の構成要素は、少なくとも０．７ｍｍの厚みを備えた領域を含み得る。第２の構成要素は、少なくとも１ｍｍの厚みを備えた領域を含み得る。厚みは典型的には層の厚みであり得る。層の厚みは変化し得る。この発明の実施例の利点は、それらが、たとえば、有機溶剤、および紫外線ならびに気候などの環境影響に対して良好な環境保護を提供する点である。第２の材料は形状をより容易に変化させることができ、衝撃を吸収するようにも選択され得る。
【００３１】
第２の構成要素は、ポリマーなどの合成材料を含んでもよく、好ましくは、ポリアミドなどのエラストマー材料またはプラスチック材料である。第２の構成要素は、少なくとも５０％、より好ましくは７５％、さらにより好ましくは９０％のエラストマー材料を含み得る。第２の構成要素は、ポリマーなどの合成材料を含んでもよく、好ましくは、ポリアミドなどのエラストマー材料および／またはプラスチック材料である。第２の構成要素は、架橋されるか、または加硫されてもよい。
【００３２】
第２の構成要素は、熱可塑性ポリマーまたは熱可塑性エラストマーなどの熱可塑性材料もしくはゴム材料を含み得る。熱可塑性エラストマー材料は、水素添加スチレンブロック共重合体に基づく熱可塑性エラストマーであり得る。
【００３３】
第２の構成要素は、たとえば、射出成形またはトランスファー成形プロセスを使用して、前記第１のコア構成要素とタンデム成形されるか、または共に成形されてもよい。たとえば、積層などの代替的なプロセス、または接着などの製造プロセスを使用してもよい。
【００３４】
この発明の利点は、スプレーされた構成要素と比較して、それらが環境問題の少なく、かつはがれが少ないシステムを提供する点である。さらに、この発明による実施例の利点は、容易に適用可能な製造技術を使用可能である点である。
【００３５】
第２の構成要素は、複数の光源ユニットを受入れるように適合された穴を含んでもよく
、前記第２の構成要素は、前記複数の光源ユニットと密封接触するように適合される。表示システムは、たとえば、複数の発光ダイオード（ＬＥＤ）ユニット、または有機発光ダイオード（ＯＬＥＤ）ユニットなどの複数の発光装置ユニットを含み得る。
【００３６】
この発明の実施例では、第１の構成要素は硬い構成要素であり得る。第１の構成要素は寸法的に安定した構成要素であり得る。第１の構成要素は、ポリマーなどの合成材料、たとえば、ポリカーボネート樹脂で作られ得る。
【００３７】
第１の構成要素は、前記表示装置の複数の光源ユニットを受入れるように適合された穴を含んでもよく、前記第１の構成要素の前記穴は、遮光装置が前記第１の構成要素と前記複数の光源ユニットとの間に間隔を提供するよう適合されるようにする。
【００３８】
第２の構成要素は帯電防止材料で作られ得る。第２の構成要素の材料は、帯電防止効果を提供する充填材を含み得る。第２の構成要素の材料は、黒、たとえば、光沢のない黒であることが好ましい。１つの充填材は、その形のうちの１つの炭素であり、たとえば、カーボンブラックであり得る。この発明の実施例の利点は、それらが埃を引き付けるのを防止し、装置のユーザおよび／または見る人に対して黒色経験の寿命がより長くなる点である。遮光器は、コントラストを増加させ、同時に日光でのぎらつきまたは反射効果を低減するために、光源に対して黒い背景を提供し得る。
【００３９】
遮光装置は、予め定められた角度の下で光の入射を遮るように形作られた部分を含み得る。
【００４０】
遮光装置は、前記表示システムに対して、レンズなどの他の光学要素、または回折要素を収容するように適合されてもよい。
【００４１】
さらに別の局面では、この発明は、表示システムを遮光するための遮光装置にも関し、遮光装置は、第１の構成要素および第２の構成要素を含み、第１の構成要素はコア構成要素であり、第２の構成要素はコア構成要素を少なくとも部分的に覆い、第２の構成要素はコア構成要素より低い硬さを有する固体連続層である。遮光装置の他の特徴は、遮光装置に対して既に説明したとおりであり得る。
【００４２】
この発明はさらに、画像を表示するための表示システムに関し、前記表示システムは遮光装置を含み、遮光装置は、コア構成要素である第１の構成要素、およびコア構成要素を少なくとも部分的に覆い、かつ表示システムの周囲からコア構成要素を少なくとも部分的に遮る第２の構成要素を含み、第２の構成要素は、コア構成要素より弾性のある固体連続層である。
【００４３】
表示システムはさらに、複数の光源ユニットを含み、前記第２の構成要素は前記複数の光源ユニットと密封接触してもよい。
【００４４】
前記光源ユニットの各々は封止物を含んでもよく、前記複数の光源ユニットとの密封接触は、複数の光源ユニットの封止物との密封接触であり得る。封止物は密封に好適な滑らかな外面を有し得る。前記表示システムは、たとえば、複数の発光ダイオード（ＬＥＤ）ユニット、または有機発光ダイオード（ＯＬＥＤ）ユニットなどの複数の発光装置ユニットを含み得る。
【００４５】
遮光装置は、予め定められた角度の下で前記表示システムで光の入射を遮るように形作られた部分を含み得る。
【００４６】
遮光装置は、前記表示システムに対して光学要素を収容するように適合され得る。
この発明はさらに、画像を表示するための表示システムに関し、前記表示システムは遮光装置を含み、遮光装置は、コア構成要素である第１の構成要素、およびコア構成要素を少なくとも部分的に覆い、かつ表示システムの周囲からコア構成要素を少なくとも部分的に遮る第２の構成要素を含み、第２の構成要素は、第１の構成要素と比較してよりよい光学特性、たとえば、より低い反射率、および／または改善された長期的な黒色経験を有する固体連続層である。表示システムの他の特徴は、表示システムに対して既に説明したとおりであり得る。
【００４７】
さらに別の局面では、この発明は、画像を表示するための表示システムに関し、前記表示システムは遮光装置を含み、遮光装置は、コア構成要素である第１の構成要素、およびコア構成要素を少なくとも部分的に覆い、かつ表示システムの周囲からコア構成要素を少なくとも部分的に遮る第２の構成要素を含み、第２の構成要素は、コア構成要素より低い硬さを有する固体連続層である。表示システムの他の特徴は、表示システムに対して既に説明したとおりであり得る。
【００４８】
別の局面では、この発明は、表示システムを製造するための方法にも関し、この方法は、露出された表示システムを提供または受入れるステップを含み、露出された表示システムは典型的には複数の光源ユニットを含み、この方法はさらに、第１の硬い構成要素、および第２のより弾性があり、および／またはより硬くない構成要素を含む遮光装置を提供または受入れるステップと、複数の光源ユニットが第１の構成要素の穴を通って挿入され、遮光装置の第２の構成要素の穴へ押し込まれて、第２の構成要素が複数の光源ユニットと密封接触するように、遮光装置を露出された表示システムへと押すステップとを含む。この方法は、自動化された態様で実行されてもよい。この方法はさらに、前記遮光装置を前記露出された表示システムに固定するステップを含んでもよい。
【００４９】
この発明の特定の局面および好ましい局面を添付の独立および従属クレームで説明する。従属クレームからの特徴は、適切に、かつ単にクレームに明白に示されるとおりではなく、独立クレームの特徴および他の従属クレームの特徴と組合され得る。
【００５０】
この分野の装置には、常に改善、変更および発展がなされているが、この発明の概念は、以前の実務から離れたものを含む、実質的に新しくかつ新規の改良点を示すものと信じ、より効率的で安定しかつ信頼性のおける装置の提供に繋がるものと信じる。
【００５１】
この発明の教示は、情報を表示するため、または照明のために改善された方法および装置の設計を可能にする。
【００５２】
この発明の上述および他の特性、特徴および利点は、例を挙げてこの発明の原則を示す添付の図面とともに以下の詳細な説明を読むことで明らかであろう。この説明は、例示のためにのみ与えられ、この発明の範囲を制限しない。以下に引用される参照番号は、添付の図面を参照する。
【００５３】
異なる図面中、同じ参照番号は同じかまたは類似の要素を示す。
例示的な実施例の説明
この発明を特定の実施例およびある図面を参照して説明するが、この発明はそれらに制限されず、クレームによってのみ制限される。示される図面は概略的に過ぎず、非制限的である。図面において、要素の一部のサイズは誇張されていることがあり、例示のために同じ縮尺で書かれていない。寸法および相対的な寸法は、この発明の実際の実施化に対応しない。
【００５４】
さらに、説明およびクレームにおける、第１、第２等の用語は、類似の要素を区別するために使用され、必ずしも逐次的または時系列の順序を示すためのものではない。そのように使用される用語は、適切な状況下で交換可能であり、かつここに説明される発明の実施例は、ここに説明されるかまたは図示される以外の他の順序で動作可能であることを理解されたい。
【００５５】
さらに、説明およびクレームにおける、上部（top）、底部（bottom）、上（over）、下（under）等の用語は、説明のために使用され、必ずしも相対的な位置を示すためのものではない。そのように使用される用語は、適切な状況下で交換可能であり、かつここに説明される発明の実施例は、ここに説明されるかまたは図示される以外の他の方向付けでの動作が可能であることを理解されたい。
【００５６】
クレームで使用される、「含む（comprising）」という用語は、その後に列挙される手段に制限されるものと理解されるべきではなく、それは他の要素またはステップを排除するものではないことに注目されたい。したがって、それは述べられた特徴、整数、ステップまたは構成要素の存在を言及されたように特定するものと理解されるべきであり、１つまたは複数の他の特徴、整数、ステップまたは構成要素、もしくはそのグループの存在または付加を妨げるものではない。したがって、「手段ＡおよびＢを含む装置（a device comprising means A and B）」という表現の範囲は、構成要素ＡおよびＢのみからなる装置に制限されるべきではない。それは、この発明に関しては、装置の単に関連する構成要素がＡおよびＢであることを意味する。
【００５７】
同様に、クレームでも使用される、「結合される（coupled）」という用語は、直接的な接続にのみ制限されるものと理解されるべきではないことに注目されたい。したがって、「装置Ｂに結合される装置Ａ（a device A coupled to a device B）」は、装置Ａの出力が直接的に装置Ｂの入力に接続される装置またはシステムに制限されるべきではない。それは、他の装置または手段を含む経路であり得るＡの出力とＢの入力との間の経路が存在することを意味する。
【００５８】
この発明をこの発明のいくつかの実施例の詳細な説明によって説明する。この発明の他の実施例が、この発明の技術的な教示または真の範囲を離れることなく、当業者の知識によって構成され得ることは明らかであり、この発明は添付のクレームの用語によってのみ制限される。
【発明を実施するための最良の形態】
【００５９】
第１の実施例では、この発明は、遮光装置に関し、たとえば、表示システムで使用するための遮光装置に関する。遮光装置は、典型的には、コア構成要素である第１の構成要素、およびコア構成要素を少なくとも部分的に覆う第２の構成要素を含む。第２の構成要素は典型的には、コア構成要素の少なくとも一部を覆う固体連続層である。固体層は自立した層を意味する。連続層は離散した別々の部分を含まない層を意味する。表示装置の固体連続層は、ファイバベースの第２の構成要素（埃を引き付け得る）またはスプレーされた膜（はがれ落ち得る）上にあることが好ましい。この発明の実施例によると、第２の構成要素は、第１の構成要素より低い反射率を有する。さらに、第２の構成要素は、コア構成要素より弾性があるかまたはより柔軟であり得るか、および／またはコア構成要素より低い硬さを有する。言い換えると、コア構成要素は第１の材料で作られてもよく、第２の構成要素は第２の材料で作られてもよく、第１の材料は第２の材料より高い硬さを有してもよく、および／または第１の材料は第２の材料より弾性が低くてもよい。第２の、外側の構成要素のより低い硬さは、良好な衝撃耐性、および／または設置者または通りがかりの人の負傷に対する耐性を提供し得る。材料の弾性は、たとえば、ヤング弾性率によって表現され得る。硬さは典型的にはショア硬さで表現され得る。
【００６０】
この例では表示システムに取付けられている、この発明の第１の実施例の遮光装置の概略図が図２に示されるが、この発明はそれに制限されない。図２は、複数の光源１０２およびこの実施例による遮光装置１１０を含み、コア構成要素１１２である第１の構成要素１１２、およびコア構成要素１１２を少なくとも部分的に覆う第２の構成要素１１４を備えた表示システム１００の一部を示す。第１の構成要素１１２は、典型的には表示システムの残りの部分に向かって面するのに好適であり、第２の構成要素１１４は、典型的には表示システムの外側に向く、すなわち、表示システムの環境または視野側に向くのに好適である。
【００６１】
コア構成要素１１２は、寸法的に安定した材料で作られることが好ましい。それは、堅くかつ強いことが好ましい。材料は好ましくは硬いものであり得る。好適な材料は、たとえば、ショアＤ７５より高い硬さ、たとえば、１００より大きいロックウェルＲ硬さ、たとえば、１１５のロックウェルＲ硬さを有し得る。好適な材料は、ＩＳＯ  ２０３９−１規格を使用して決定された、約９０Ｍｐａの硬さの値も有し得る。好適な材料は、たとえば、１ＧＰａより高いヤング弾性率、たとえば、１ＧＰａから２．５ＧＰａの間、またはたとえば、２ＧＰａから２．５ＧＰａの間の弾性率を有する。コア構成要素１１２に使用され得る典型的な材料は、この発明はこれに制限されないが、ポリマーなどの合成材料、特にポリカーボネート樹脂などの熱可塑性ポリマーである。コア構成要素１１２はさらに、良好な組立特性も含み得、すなわち、それは、たとえば、ねじまたはスナップを用いるなど、留め手段を用いるのに好適であり得る。特定の実施例では、コア構成要素１１２は、遮光装置を光源ボードなどの表示システムの別の部分に装着するための手段を設けられ得る。またはこれに代えて、コア構成要素１１２は、光源ボードなどの表示システムの別の部分に接着されるのに好適であり得る。別の実施例では、クリックまたはクリックロック機構がコア構成要素に設けられてもよく、表示システムの照明モジュールの一部の周りにラッチが装着される。
【００６２】
第２の構成要素１１４は、典型的には、コア構成要素１１２を少なくとも部分的に覆う固体連続層であり得る。この発明の実施例によると、第２の構成要素１１４は、その反射率を低減するように粗くされ得る。粗くすることは、第２の構成要素の表面の一部を除去し、それにより規則的または不規則的な表面パターンを設けることによって行なわれ得る。この方法の実施例によると、第２の構成要素の一部を除去することは、表面にレーザを照射することによって行なわれ得る。照射によって、第２の構成要素の表面は部分的に破壊および除去される。特に、レーザ表面処理が使用され得る。レーザ処理は、表面はエッチングされ得るが、下にある材料を熱で劣化させないという利点を有する。表面を変更するためのレーザ技術は、レーザアブレーションおよび／またはレーザエッチングを含む。
【００６３】
第２の構成要素の表面の一部を除去するためのレーザの使用は、規則的なパターンであれ不規則的なパターンであれ、パターンが非常に正確かつ精密に、しかも比較的容易に設けられ得る点でも有利である。プロセスステップは自動化されてもよく、たとえば、コンピュータ制御されてもよい。この方法は、粗くされるべきゾーンの正確な位置付けを可能にする。
【００６４】
レーザの使用は、蒸発および／または熱による劣化のため、粒状物質の除去にかかわらず、実質的な量の粒子を作らない。レーザの選択によって、使用される光の波長、連続またはパルスレーザ光の使用、レーザフルエンス等のレーザ処理パラメータの設定、エッチ深さ、たとえばポリマー分子などの第２の構成要素の分子の、ＣＯ2、ＣＯ、Ｈ2Ｏ等の気体生成物への変換などを制御することができる。したがって、プロセス中に使用されるかまたは作られる生成物の否定的な影響を、粗くするステップ中に考慮する必要はない。この方法は、自動化および高効率化が可能であり、実質的に寸法の制限を有さない。この方
法の実施例によると、ＣＯ2レーザなどの気体レーザからの照射は、実質的に透明または半透明な材料、たとえば、サポートゾーンに沿った光学表面を提供するための封止材料を照射するために使用され得る。
【００６５】
ＣＯ2レーザの使用は約１０μｍの深さにわたって第２の構成要素１１４の表面を粗くすることがわかったが、材料深くへの切削は見られなかった。これは、第２の構成要素の表面にレーザ、たとえば、気体レーザ、好ましくは３０ワットのレーザマーカなどのＣＯ2レーザを照射することによって行なってもよい。粗くすることは、光学表面のサポートゾーンに規則的または不規則的なパターンを設けることによって行なうことができる。またはこれに代えて、ＹＡＧレーザを使用してもよい。ポリマー表面を粗くするかまたはエッチングするためのレーザ方法および装置は、たとえば、「表面光学でのレーザ（“Lasers in Surface Engineering”）」,ed. N.B. Dahotre, vol.1, ASM International, 1998
などの標準的な著作物の特に８章、「ポリマーコーティングのためのレーザ（“Lasers for polymeric coatings”）」、特に「ポリマー材料のレーザ誘起エッチング（“Laser induced etching of Polymeric materials”）」についてのセクションから当業者に知られる。
【００６６】
この方法は、ゾーンで光学表面の反射を低減するために第２の構成要素の表面に付加的な材料が適用されない、すなわち付加されないという利点を有し、このゾーンは正確に位置付けられる。したがって、気候または環境的な条件は、表面の粗くされた特徴に殆どまたは全く影響を有さず、これは長期的かつ実質的に一定の低反射特性を提供する。
【００６７】
第２の構成要素の表面を粗くするか、または第２の構成要素の表面に光沢のないゾーンを作るために、化学エッチング、機械研磨、ブラスティング、スクラッチ、ウォータジェット処理、研磨、ブラッシング等の他の手段を使用してもよい。
【００６８】
この発明の実施例では、第２の構成要素１１４は、その反射率を低減するために、微細構造を設けられた層、箔または膜であり得る。微細構造の構造または形状は、光の捕捉が最適に行なわれ得るようなものであり、すなわち、特定の形状が光の捕捉のために設けられ得る。例として、第２の構成要素１１４は、アルミニウム粒子などの金属粒子を設けられた金属膜であってもよく、粒子は膜にスパッタリングされ得る。この層、箔または膜は、たとえば、接着もしくはあらゆる他の好適な方法によって、第１の構成要素１１２に装着され得る。膜は、たとえば、レーザの使用によって、微細構造を作るために上述のように粗くされ得る。
【００６９】
この発明の実施例では、第２の構成要素１１４を形成する、この層、箔または膜は、少なくとも０．５ｍｍの厚みを有する領域を含み得る。それは、少なくとも１ｍｍの厚みを有する領域を含み得る。第２の構成要素１１４は、コア構成要素１１２より弾性があるか、またはより低い硬さを有することが好ましい。言い換えると、それは、コア構成要素１１２より軟らかいか、またはよりゴム状の材料であり得る。第２の構成要素は、０．５ＧＰａより低い、好ましくは０．１ＧＰａより低いヤング弾性率を有し得る。たとえば、好適なＴＰＥの１つのタイプは、約０．０４５ＧＰａのヤング弾性率を有し得る。典型的には、第２の構成要素１１４は、ポリマーなどの合成材料で作られてもよく、たとえば、ナイロンなどのポリアミド様材料などの熱可塑性エラストマー（ＴＰＥ）材料またはプラスチックで作られてもよい。そのような材料は、たとえばWerner Hofmannによるゴム技術ハンドブック（Rubber Technology Handbook）（Hanser Publishers, Munich Vienna New York, reprinted in 1996）の、たとえば、１４８頁に記載されるように、ショアＡ４０からショアＤ７５の範囲内の硬さを有し得る。ブロックまたはセグメント化コポリマー、エラストマー−熱可塑性物質の混合物、または熱可逆性不安定架橋材料を備えたエラストマー（elastomers with thermally reversible labile crosslinks materials）などの、異
なるタイプの熱可塑性エラストマー材料（ＴＰＥ）を、ゴム技術ハンドブックにも記載されるように、たとえば、スチレン（ＴＰＥ−Ｓ）、ポリウレタン（ＴＰＥ−Ｕ）、ポリエーテルエステル（ＴＰＥ−Ｅ）、ポリエーテルアミド（ＴＰＥ−Ａ）またはエラストマー合金に使用してもよい。図８は、資料から利用可能なような、異なる硬さパラメータ間の比較を示す。
【００７０】
第２の構成要素は、好ましくは暗く、すなわち、好ましくは黒い、光沢のない、非反射性または低反射性の材料である。第２の構成要素１１４は、第１の構成要素１１２と比較して、長期的な黒色経験が改善されていることが好ましい。第２の構成要素１１４が、特定の構造および形状が解釈され得るように成形可能な材料で作られる場合、有利である。これら特定の構造は、反射率を最低限にする構造であり得る。構造または形状は、光の捕捉が最適に行なわれ得るようなものであってもよく、すなわち、特定の形状が光の捕捉のために設けられ得る。第２の構成要素１１４は、コア構成要素とともに成形するか、またはタンデム成形が可能である点が利点である。後者は製造プロセスを容易にする。
【００７１】
生物、たとえば、遮光装置に接触した人、たとえば、表示にぶつかり、遮光装置に接触した設置者または通りがかりの人への負傷を防ぐために、第２の構成要素が軟らかい材料で作られる場合、有利である。材料の軟らかさは、上述のように、硬さの値によって典型的には表現され得る。第２の構成要素１１４は、埃を寄せ付けないものであってもよく、または埃を引き付けないかまたは保持せず、すなわち、それは非帯電であってもよく、毛で覆われていないものであってもよい。後者は、材料の光学特性の長期的な安定性を支援するが、これは埃が遮光装置の見る人によって得られる色の経験を変え得るためである。
【００７２】
この発明の第一の実施例による遮光装置１１０の概略的な上面図が図３に示され、ここで、第２の構成要素１１４が取除かれた領域が示され、したがって、第１の構成要素１１２が示され、第１の構成要素１１２および第２の構成要素１１４の両方が存在する領域が示される。さらに、複数の光源ユニットを収容するための収容穴１１６も示される。
【００７３】
別の実施例では、遮光装置の第１の構成要素および第２の構成要素は、硬さまたは弾性の要件の代わりに、第２の構成要素が第１の構成要素より良好な光学特性を有するという要件、たとえば、第１の構成要素と比較して、低い反射率または改善された長期的な黒色経験を有するという要件を満たすようにされ得る。この実施例では、コア構成要素は、寸法的な安定性、堅さ、強度および外側について最適化され、第２の構成要素は、特に日光での反射または光輝を避けるように最適化され得る。第２の構成要素では、光の捕捉を支援するように適合された微細構造を設けられた層が使用されてもよく、すなわち、特定の形状が光の捕捉のための微細構造に対して設けられてもよい。これら微細構造は、規則的なものであれ不規則的なものであれ、上述のように、たとえば、レーザ処理によって、表面を粗くすることによって作られ得る。
【００７４】
第２の実施例では、この発明は第１の実施例に記載されるような遮光装置に関するが、遮光装置は、表示システムの光源、およびそのために使用される電子機器を任意で、周囲、すなわち、環境的な影響から密封するように適合される。したがって、第２の実施例は、第１の実施例に記載されるものと同じ特徴および利点を有するが、遮光装置の第２の構成要素は、第２の構成要素が複数の光源ユニットと密封接触するように、複数の光源ユニットを収容するように適合される。このように、表示システムの電子機器および他の構成要素を環境から密封することができるか、または水などの環境的な要素の侵入が低減され得る。遮光装置１１０の第１の構成要素１１２は、遮光装置１１０に対して複数の光源ユニットを位置付けるためにある程度の自由が存在するように、複数の光源ユニットを収容するように適合され得る。後者は、穴を通る必要のある光源ユニットの断面より実質的に大きい穴を第１の構成要素１１２に設けることによって実現され得る。後者は、第１の構
成要素に対する複数の光源ユニットの位置付けが光源ユニットと第１の構成要素との間の接触なしに、すなわち、接触のない態様で行なうことができ、損傷が避けられるように、第１の構成要素１１２が典型的には堅い材料であるため、有利である。より柔軟な第２の構成要素１１４は、一旦２つの部分が互いに対して位置付けられると、柔軟な第２の構成要素１１４が光源ユニットと接触し、かつこの接触が光源ユニットおよび第２の構成要素の下に位置付けられる表示システムの部分を表示システムの周囲から密封するための密封接触であるように、光源ユニットと同じサイズか、または幾分小さい穴を設けられる。第２の構成要素は、好ましくは第１の構成要素より弾性があるため、これらの部分の取付け中に部品を損傷する可能性は実質的により小さい。表示システム２００に取付けられたそのような遮光装置の例が図４に示される。第１の、典型的には堅い構成要素１１２に設けられた穴は、第２の、典型的にはより弾性のある構成要素１１４の穴より大きいことがわかる。後者は、第２の構成要素１１４の直径ｄ2より小さい第１の構成要素１１２の直径ｄ1によって表現される。この実施例では、第２の構成要素１１４は、典型的には、遮光装置が表示システムに取付けられる場合に、複数の光源ユニットとの密封接触を提供するように適合される縁２０２を示す。
【００７５】
第３の実施例では、この発明は、以前の実施例のいずれかによる遮光装置に関し、遮光装置は、複数の光源ユニットの前方に光学要素を収容するようにさらに適合される。後者は、たとえば、光学要素をそこに位置付けることができるように遮光装置の形状を適合することであってもよく、または複数の光源ユニットの前方に光学要素を保持するためのある種のクリップ、クリックまたは締付け手段であり得る。そのような光学要素は、たとえば、レンズまたは回折格子などの回折要素であってもよく、または光をある方向または方向の範囲に向けるためのカラーフィルタなどのフィルタまたは偏向装置であり得る。そのような光学要素は、典型的には、所望の向上効果を作るため、または、たとえば、最適化されたフルモーションビデオ、拡大画像、三次元画像等を作るために、要素を通って伝搬する光の特性を変えるために使用される。この実施例による遮光装置は、付加的な光学要素３０を示す図５の部分として示される。
【００７６】
第２の局面の実施例では、この発明は、この発明の上述の実施例のいずれかによる遮光装置を含む表示システムに関する。遮光装置を含む表示システムは、図２、図４および図５にも示される。表示システム１００、２００、３００は、コア構成要素１１２である第１の構成要素１１２、およびコア構成要素１１２を少なくとも部分的に覆う第２の構成要素１１４を含む遮光装置１１０を含む。第２の構成要素１１４は、コア構成要素１１２を覆う固体連続層であり、コア構成要素より低い反射率を有する。第２の構成要素１１４は、コア構成要素１１２より弾性があり、および／またはコア構成要素１１２より低い硬さを有し得る。たとえば、それはより柔軟であり得る。遮光装置１１０の他の特徴は、この発明の第１の局面の第１、第２および／または第３の実施例にさらに詳しく記載される。表示システム１００、２００、３００は、さらに典型的には、たとえば、複数の光源ユニット１４を含み、光源ユニットは、発光ダイオード（ＬＥＤ）または有機発光ダイオード（ＯＬＥＤ）などの発光装置であり得る。表示システム１００、２００、３００は、屋外の広告の用途または屋外の表示の用途などの、屋外の用途に好適であり得る。たとえば、図２に示されるような、表示システムの他の特徴は、以前の実施例に記載されるとおりである。特定の実施例では、表示システムの遮光装置１１０は、密封を設けることによって、すなわち、表示システム１００、２００、３００の複数の光源ユニット１４の各々と遮光装置１１０の第２の構成要素１１４との間に密封接触を設けることによって、表示システム１００、２００、３００の光源電子機器および残りの構成要素を表示システム１００、２００、３００の周囲から密封するように調整される。そのような密封接触は、穴に適合する必要のある光源ユニット１４の断面に等しいかまたはそれより僅かに小さい複数の光源ユニット１４の各々を収容するための穴を設けることによって実現され得る。このようにして、一旦遮光装置および表示システムが定位置につくと、複数の光源ユニット１４
の各々は、たとえば、水、空気またはあり得る他の環境的な汚染源が光源ユニット１４の側から表示システムに入ることができないように、第２の構成要素によって囲まれる。表示システムのさらに別の特徴は、先行技術の表示システムのもののようであり得る。遮光装置を備えた表示システムの一部が、遮光装置を含む表示装置の上面図である図６に示される。図７は、先行技術から利用可能なような遮光装置を有する表示装置と、この発明の実施例による遮光装置との比較を示す。
【００７７】
第３の局面では、この発明は、遮光装置を備えた表示システムを製造する方法に関する。この方法は、第２の局面に記載されるような表示システムを製造するのに特に好適である。この方法は、露出された表示システム、すなわち、遮光装置または環境的な密封を備えない表示システムを提供するステップを含む。露出された表示システムは、典型的には複数の光源ユニットを含む。この方法はさらに、第１の構成要素、および第１の構成要素より低い反射率を有する第２の構成要素を含む遮光装置を提供するステップを含む。第１の構成要素は硬い構成要素であってもよく、第２の構成要素はより弾性があるかまたは柔軟であってもよく、および／またはより硬くない構成要素であってもよい。光源ユニットは、プリント回路基板などの電子構成要素基板の１つの側から一方向に延在してもよい。露出された表示システムは、この発明の実施例のいずれかによる遮光装置がトレイの底部を形成している、トレイの形であってもよい。電子構成要素基板は、光源を遮光ユニットに向けてトレイに適合する。この方法はさらに、露出された表示システムの複数の光源ユニットが第１の構成要素の穴を通って挿入され、遮光装置の第２の構成要素の穴に押し込まれて、第２の構成要素が複数の光源ユニットと密封接触するように、遮光装置を露出された表示システムへと押すステップを含む。好ましくは、第１の構成要素の穴は、光源ユニットと、遮光装置の、第１の典型的には硬い構成要素との接触がないように、穴を通る必要のある光源ユニットの断面より実質的に大きくなるように選ばれる。遮光装置の第２の構成要素の穴は、それらが、穴に押し込まれる必要のある光源ユニットの断面に等しいか、またはそれより僅かに小さくなるように選ばれ、これは密封接触に繋がる。表示システムを製造するための方法はさらに、たとえば、接着、クリップ手段、クリック手段またはクランプ手段のいずれか、または組合せを使用して、遮光装置および露出された表示システムを互いに固定するステップを含み得る。この実施例による方法は、遮光するための手段および密封するための手段の両方を含む表示システムを製造する効率的な方法を提供する。遮光装置の第２の構成要素のみが光源ユニットと接触する必要があり、かつこの第２の構成要素は典型的には比較的弾性があるため、光源ユニットまたは遮光装置を損傷する危険性は避けられる。
【００７８】
好ましい実施例、特定の構成および構造、ならびに材料をこの発明による装置に対してここに論じてきたが、形および詳細におけるさまざまな変更または修正を、この発明の範囲および精神を離れることなく行なうことができることを理解されたい。たとえば、第１および第２の局面の上述の実施例は、遮光装置およびそのような遮光装置を含む表示システムに関するが、この発明は表示システムを遮光するための対応する方法にも関する。
【図面の簡単な説明】
【００７９】
【図１】先行技術から利用可能なような遮光装置を含む表示システムの一部の断面図である。
【図２】この発明の第１の実施例による遮光装置を備えた表示システムの一部の断面図である。
【図３】この発明の第１の実施例による遮光装置の上面図である。
【図４】この発明の第２の実施例による、密封機能を有する遮光装置を備えた表示システムの一部の断面図である。
【図５】この発明の第３の実施例による、表示システムに対して付加的な光学要素を収容する遮光装置を備えた表示システムの一部の断面図である。
【図６】この発明の第２の局面による遮光装置を含む表示装置の上面図である。
【図７】先行技術から利用可能なような遮光装置を有する表示装置とこの発明の実施例による遮光装置との比較の図である。
【図８】資料から利用可能なような異なる硬さパラメータ間の比較の図である。
【符号の説明】
【００８０】
１００  表示システム、１０２  光源、１１０  遮光装置、１１２  第１の構成要素、１１４  第２の構成要素。
【図１】
2007188085.tif 000003
【図２】
2007188085.tif 000004
【図４】
2007188085.tif 000005
【図５】
2007188085.tif 000006
【図８】
2007188085.tif 000007
【図３】
2007188085.tif 000008
【図６】
2007188085.tif 000009
【図７】
2007188085.tif 000010
【外国語明細書】
2007188085000001.pdf